(57)【要約】【課題】本発明は、主に民生用に用いられる都市ガスやＬＰガスなどのガス用露点計に用いられる露点測定用アダプタおよびそれを用いたガス露点計に関する。【解決手段】流入したガスにより測定室内の空気や雰囲気を排出して、露点測定用のセンサによりガスの露点を測定させる露点測定用アダプタであって、一端がガス配管のガス栓に接続され、他端がセンサを突出させた露点計の検出部に着脱可能に接続され、ガス栓側から流入したガスが前記センサに接触可能な中空部を有する管状のアダプタ本体と、該アダプタ本体の下流側に設けられて前記中空部にガス栓側から流入したガスを前記センサに接触させアダプタ本体の外部へ排出させる流路を形成する位置に設けられた排出口とからなることを特徴とする。【選択図】図１
2016004028.tif 000002
【特許請求の範囲】
【請求項１】
流入したガスにより測定室内の空気や雰囲気を排出して、露点測定用のセンサによりガスの露点を測定させる露点測定用アダプタであって、
一端がガス配管のガス栓に接続され、他端がセンサを突出させた露点計の検出部に着脱可能に接続され、ガス栓側から流入したガスが前記センサに接触可能な中空部を有する管状のアダプタ本体と、
該アダプタ本体の下流側で、前記中空部にガス栓側から流入したガスを前記センサに接触させアダプタ本体の外部へ排出させる流路を形成する位置に設けられた排出口とからなることを特徴とする露点測定用アダプタ。
【請求項２】
前記アダプタ本体の一端に、前記ガス栓にワンタッチで接続可能な迅速継手のソケットが設けられており、排出口部には流量調整弁が形成されていることを特徴とする請求項１に記載の露点測定用アダプタ。
【請求項３】
前記排出口部に脱臭装置が接続されており、排出されたガスを脱臭してアダプタ本体の外部へ排出させてなることを特徴とする請求項１または２に記載の露点測定用アダプタ。
【請求項４】
請求項１から３のいずれかに記載の露点測定用アダプタを有することを特徴とするガス用露点計。
【発明の詳細な説明】
【技術分野】
【０００１】
本発明は、主に民生用に用いられる都市ガスやＬＰガスなどのガス用露点計に用いられる露点測定用アダプタおよびそれを用いたガス用露点計に関するものである。
【背景技術】
【０００２】
都市ガスやＬＰガスなどの主に民生用のガス管理として、ガスの露点（ガス温度と相対湿度より算出）を計測しており、その測定器として露点計が用いられており、例えば、特開２００５−２８３５０７号の鏡面冷却式露点計や特開２００７−２８５８８５号の露点計などが知られている。
しかし、従来の露点計では、工場内等の配管内を流れるガスの流路にセンサを常時セットして露点を測定するために、接続部が頻繁な取り外しを想定していないネジ機構などになっており、センサ部に残留している空気を測定用に採取したガスに置換するための排出機構も有していないため、民生用ガスの露点測定のようなスポット的な露点の測定には適していなかった。
また、センサは水分による影響が大きいため、ガス中の水分だけでなく、露点計の装置内および接続配管内の水分の微小な付着や高露点ガスの残留によって測定値が安定しないという問題点もあった。
【先行技術文献】
【特許文献】
【０００３】
【特許文献１】特開２００５−２８３５０７号公報
【特許文献２】特開２００７−２８５８８５号公報
【発明の概要】
【発明が解決しようとする課題】
【０００４】
この発明は上記不具合を解消するために創案されたものであって、その主たる課題は、配管に設けられたガス栓に接続してそのまま露点の測定を行うことができ、測定前にセンサ部が設けられた空間内に残留している空気や雰囲気を排出して測定用のガスに置き換えることができ、簡単、かつ確実に露点の測定を行うことができるようにした露点測定用アダプタ及びそれを用いたガス用露点計を提供することにある。
【課題を解決するための手段】
【０００５】
この発明は上記不具合を解消するために、請求項１の発明では、
流入したガスにより測定室内の空気や雰囲気を排出して、露点測定用のセンサによりガスの露点を測定させる露点測定用アダプタであって、
一端がガス配管のガス栓に接続され、他端がセンサを突出させた露点計の検出部に着脱可能に接続され、ガス栓側から流入したガスが前記センサに接触可能な中空部を有する管状のアダプタ本体と、
該アダプタ本体の下流側で、前記中空部にガス栓側から流入したガスを前記センサに接触させアダプタ本体の外部へ排出させる流路を形成する位置に設けられた排出口とからなることを特徴とする。
請求項２の発明では、
前記アダプタ本体の一端に、前記ガス栓にワンタッチで接続可能な迅速継手のソケットが設けられており、排出口部には流量調整弁が形成されていることを特徴とする。
請求項３の発明では、前記排出口部に脱臭装置が接続されており、排出されたガスを脱臭してアダプタ本体の外部へ排出させてなることを特徴とする。
請求項４の発明では、請求項１から３のいずれかに記載の露点測定用アダプタを有することを特徴とするガス用露点計であることを特徴とする。
【発明の効果】
【０００６】
本発明のガス露点計は、配管に設けられたガス栓に接続してそのまま露点の測定を行うことができる。
露点測定用アダプタには、センサの近くに排出口部を設け、該排出口部は流量調整弁を有しているので、アダプタ内の空間に残留するガスや雰囲気を置換することができ、アダプタは筒型で小容量なので、上記置換を短時間で行うことができる。
また、排出口部に流量調整弁を設けることで排出量を調整でき、様々な露点計で定められている測定流量にも対応することができる。また、流量調整弁は全開状態であってもガス栓側のプラグのヒューズ機構が作動しないように流量が調整されていることが好ましい。
ガス栓との接続には、迅速継手を用いることで、ガス栓側のプラグとアダプタ側のソケットとをワンタッチで着脱することができ、ガス栓と容易にアダプタを接続することが可能である。
前記アダプタは、筒体で容量が小さいので、内部への水分付着が少ないため、測定への影響が小さく、また高露点ガスを測定した後でも連続して安定した露点の測定が可能である。
また、排出されるガスの付臭成分は活性炭ユニットなどの脱臭装置によって吸着させることで無臭化することができる。
【図面の簡単な説明】
【０００７】
【図１】実施例１の露点測定用アダプタの側面図である。
【図２】実施例１の露点測定用アダプタとガス栓を接続した状態の側面図である。
【図３】連結部の断面図である。
【図４】実施例２の露点測定用アダプタの側面図である。
【図５】実施例３の露点測定用アダプタの側面図である。
【発明を実施するための形態】
【０００８】
一端がガス配管のガス栓に接続され、他端がセンサを突出させた露点計の露点測定部に接続される管状のアダプタ本体と、該アダプタ本体の下流側でセンサ近傍に設けられてガス栓側から流入したガスをアダプタ本体の外部へ排出させる排出口とを設けたことを特徴とする。
【実施例１】
【０００９】
図１および図２に示す露点測定用アダプタ１は、測定対象となる配管（図示せず）からガス栓１０を介して流入したガスを、露点測定用のセンサＳに接触させ排出口部５から排出させる流路を形成した露点測定用アダプタである。
ここで、上記センサＳは、公知の露点計の露点測定用のセンサであって、露点測定部２０の筐体上に突出した形状からなっている。
【００１０】
上記センサＳの構造や、露点の測定方式については公知の構造や方式であればよく、この発明では特に限定されない。
なお、露点計に形成される露点測定部２０は、センサＳより下方にガスを流入させる空間を設けてはおらず、本実施例ではセンサＳの下部は塞がっている。
【００１１】
次に、露点測定用アダプタ１は、管状のアダプタ本体２と、該アダプタ本体２の一端側に連結されて配管のガス栓１０に設けられたプラグ１１に対応しワンタッチで接続されるソケット状の迅速継手３と、アダプタ本体２の他端側に形成されて露点計のセンサＳが設けられた露点測定部２０に連結される連結部４と、該アダプタ本体２の他端側で外向きに設けられた排出口部５とから構成されている。
本実施例では、アダプタ本体２は、迅速継手３を先端に連結した可撓性を有するガス用のゴム管を用いているが、管であればよい。
【００１２】
連結部４はＴ字状の継手（チーズ）のような形状からなっており、中央にセンサＳを収納して上下に貫通する中空を備えた収納部４１を有している（図３参照）。
該収納部４１の上部には、該収納部４１の中空と連通する中空を備え、前記ガス用の管からなるアダプタ本体２の他端と接続して、アダプタ本体２に流入したガスを収納部４１の中空内に導入する導入口部４２が形成されている。
【００１３】
該収納部４１の側部には、収納部４１の中空と連通する中空を備え、収納部４１の中空内に導入されたガスをアダプタ本体２の外部へ排出する排気口部５が形成されている。
【００１４】
前記収納部４１の下部には、前記センサＳが設けられた露点測定部２０に連結するための露点計連結部４４が設けられている。
本実施例では、前記露点計連結部４４は、露点測定部２０の外周に刻設されたネジ部に螺合するネジ部が内周に刻設された筒部からなっており、露点測定部２０のネジに螺合して連結され、露点測定部２０によって露点計連結部４４の底面が閉塞されている。
【００１５】
この実施例では、前記露点計連結部４４は露点測定部２０に気密的に連結することができればよく、螺合に限らず係合や掛止構造など公知構造を用いることができる。
従って、連結部４は、アダプタ本体２に流入したガスをセンサＳが配置される収納部４１の中空内に導入し、排出口部５から排出させるエルボ状の流路機能を有している。
【００１６】
また、排出口部５には、排出量を調整するための流量調整弁６およびその操作レバーが設けられている。
流量調整弁６を設けることで排出量を調整できるので、様々な露点計で定められている測定流量に調整することができ、露点測定用アダプタ１を各種の露点計に対応させて取付けることができる。
本実施例で、上記流量調整弁６は、全開状態であってもガス栓側のプラグのヒューズ機構が作動しないように流量が調整される。
上記排出口部５は、後述の脱臭装置７（例えば活性炭ユニットなど）に接続して、脱臭して無臭化したガスを外気に放出してもよい。
あるいは、排出口部５に、長尺のゴム管を接続し、該ゴム管を経由して離間した安全な場所に、ガスを放出してもよい。
【００１７】
これによりガス栓１０のプラグ１１に、前記迅速継手３をワンタッチで接続し、ガス栓１０を開くと、配管内のガスがアダプタ本体２の内部に流入される。
流入したガスは、アダプタ本体２を通り、連結部４の中空を通って排出口部５まで続く流路Ｆを通って、排出される。
【００１８】
ここで、アダプタ本体２は管状からなっており、センサＳとの距離も長くする必要はないので、前記流路Ｆを比較的短く形成することができ、測定前にアダプタ本体２や連結部４の中空内に留まっている空気や雰囲気は、ガスの流入により排出され、流入したガスによって迅速に置き替えることができ、センサＳによる露点の計測を速やかに行うことができ、サンプリングするガスの量も少量ですむ。
また、ガス栓から導入したガスの放出は、無臭化したり、測定場所と離れた安全な場所に排出することもできる。
【実施例２】
【００１９】
図４に示す実施例２の露点測定用アダプタ１は、迅速継手３を省略し、アダプタ本体２となるガス用の可撓性を有する管を直接にガス栓１０に接続した構成からなっている。
図中、２１は露点測定部２０を有する露点計の概略を示すが、特にこの発明の露点計の形状や構成を限定するものではない。
この実施例では、迅速継手３を利用しないためガス栓１０との着脱の点で前記実施例とは異なるが、その他の構成は同様であるので、この場合も本発明の範囲に含まれる。
【実施例３】
【００２０】
図５に示す実施例３の露点測定用アダプタ１および露点計２１は、アダプタ本体２をガス用の管に替えて、樹脂製または金属製の筒体を用いた構成からなっている。
このアダプタ本体２には、実施例１と同様に先端に迅速継手３が取り付けられている。
また、アダプタ本体２の下部は連結部４となっており、その下端で略同径の筒体からなる露点測定部２０の上端とネジにより螺合している。
【００２１】
また、アダプタ本体２の下方はエルボー状に形成されて外方へ突出する排出口部５が形成されている。
なお、図中、符号６は流量調整弁６の操作レバー、７は脱臭装置である。
【００２２】
本実施例では、前記実施例と同様に迅速継手３をガス栓１０のプラグ１１に接続し、ガス栓１０を開いて、ガスをアダプタ本体２内に導入する。
アダプタ本体２の下流側に排出口部５が設けられているので、迅速継手３を介してアダプタ本体２内に導入されたガスは、該アダプタ本体２の下流側で前記排出口部５より僅かに上流側ないしは同一レベルに配置されたセンサＳを経由して排出口部５へと流れて行く。
【００２３】
また、前記センサＳで検知された検知信号は、携帯型の露点計によって演算され露点の数値を表示することができる。
これにより、本実施例でも前記実施例と同様に、簡単かつ正確に配管内のガスの露点を測定することができる。
【００２４】
上記実施例では、アダプタ本体の下端に連結部を設けて、露点計の露点測定部と着脱可能に連結した構成を示したが、アダプタ本体は露点測定部と一体に形成されるものでもよい。
要するに、アダプタ本体内に、流入したガスがセンサと接触してから排出口部へ流れる流路Ｆが形成されればよい。
【００２５】
また、上記実施例で露点を測定する対象となるガスは、都市ガスでもＬＰガスであってもよい。
また、上記ガスは民生用に用いるガスに限定されず、産業用に用いるものであってもよく、配管中にガス栓を有するものであればよい。
その他、この発明は上記実施例に限定されるものではなく、要するにこの発明の要旨を変更しない範囲で種々設計変更しうるものである。
【符号の説明】
【００２６】
１    露点測定用アダプタ
２    アダプタ本体
３    迅速継手
４    連結部
５    排出口部
６    流量調整弁
７    脱臭装置
１０    ガス栓
１１    プラグ
２０    露点測定部
４１    収納部
４２    導入口部
４４    露点計連結部
Ｓ    露点測定用のセンサ
【図１】
2016004028.tif 000003
【図２】
2016004028.tif 000004
【図３】
2016004028.tif 000005
【図４】
2016004028.tif 000006
【図５】
2016004028.tif 000007